(57)【特許請求の範囲】
【請求項１】
金属軸組み工法による骨組みを有した建物ユニット内部にバスユニットが組み込まれ、かつ、外面に外壁材が前記建物ユニット内部から締め付け作業されるボルトで取り付けられたバスユニット付き建物ユニットの天井構造であって、
前記バスユニットの上方の天井は、前記外壁材を前記骨組みにボルト止めした後に当該骨組みに対して落とし込まれる落とし込み式の天井パネルで形成され、
前記天井には互いに平行配設された複数の天井小梁が設けられ、これらの天井小梁の下端面にはこれら天井小梁の幅寸法よりも大きい幅寸法の係止部材が取り付けられ、前記天井パネルが互いに隣接する前記天井小梁間に配設されて前記係止部材に係止され、
前記天井パネルは、前記隣接する天井小梁間にこれら天井パネルの上面と天井小梁の上面とに架け渡されたブラケットを介して固定されているとともに、
前記建物ユニットの内部に臨む部分が防火面材で形成されている
ことを特徴とするバスユニット付き建物ユニットの天井構造。
【請求項２】
建物ユニットを構成する金属軸組み工法による骨組みの内部にバスユニットを組み込み、かつ、このバスユニットの上方を開口としておき、そして、建物ユニットの外面に外壁材を建物ユニット内部から締め付け作業されるボルトで取り付け、この後、前記開口部分に天井パネルを落とし込んで天井を形成することを特徴とするバスユニット付き建物ユニットの天井施工方法。
【発明の詳細な説明】
【０００１】
【産業上の利用分野】
本発明は、バスユニット付き建物ユニットの天井構造およびその天井施工方法に係り、例えば建物ユニットを複数組み合わせて建てるユニット式建物に利用できる。
【０００２】
【背景技術】
従来より、建物ユニット内部にバスユニットが組み込まれている場合、この建物ユニットにおけるバスユニットの上方には、通常の居室空間の天井のような面材が必要とされず、天井部分が開口部とされている。また、このバスユニットが建物ユニットの床根太に直置きされているため、バスユニットの下方には床面材が必要とされず、この床部分も同様な開口部になっている。
【０００３】
一方、バスユニットが組み込まれている建物ユニットは、複数の建物ユニットの中でも、外部に面した位置に配設されるのが一般的であり、その建物ユニットの外面には、工場で予め外部と内部とを仕切る外壁材が取り付けられる。
通常、この外壁材は、建物ユニット内部からのボルト締めによって取り付けられるが、バスユニットが組み込まれていることで取り付け部分が隠れてしまう箇所については、作業者が建物ユニットの外部から前述の開口部へ手を差し入れることにより、建物ユニット内部からの締め付け作業を行なって取り付けられるようになっている。
【０００４】
ところで、近年、建物の防火性を向上させることが要求されており、火災が起きた場合、炎がバスユニット上方の開口部から天井裏へと回り込むのを防ぐため、バスユニット上方にも面材が張られた天井を形成しておくことが要求されている。
【０００５】
【発明が解決しようとする課題】
しかしながら、バスユニットの上方に天井を形成しておくと、従来からの開口部が無くなるため、外壁材を取り付ける際、開口部から手を差し入れることにより行なっていた外壁部材上方側のボルトの締め付け作業ができなくなり、外壁材を建物ユニット内部から取り付けることができないという問題が生じる。
【０００６】
本発明の目的は、バスユニットの上方に天井を形成しても、外壁材を建物ユニット内部から取り付けることができるバスユニット付き建物ユニットの天井構造およびその天井施工方法を提供することにある。
【０００７】
【課題を解決するための手段】
本発明のバスユニット付き建物ユニットの天井構造は、金属軸組み工法による骨組みを有した建物ユニット内部にバスユニットが組み込まれ、かつ、外面に外壁材が前記建物ユニット内部から締め付け作業されるボルトで取り付けられたバスユニット付き建物ユニットの天井構造であって、前記バスユニットの上方の天井は、前記外壁材を前記骨組みにボルト止めした後に当該骨組みに対して落とし込まれる落とし込み式の天井パネルで形成され、前記天井には互いに平行配設された複数の天井小梁が設けられ、これらの天井小梁の下端面にはこれら天井小梁の幅寸法よりも大きい幅寸法の係止部材が取り付けられ、前記天井パネルが互いに隣接する前記天井小梁間に配設されて前記係止部材に係止され、前記天井パネルは、前記隣接する天井小梁間にこれら天井パネルの上面と天井小梁の上面とに架け渡されたブラケットを介して固定されているとともに、前記建物ユニットの内部に臨む部分が防火面材で形成されていることを特徴とする。
【００１１】
本発明のバスユニット付き建物ユニットの天井施工方法は、建物ユニットを構成する金属軸組み工法による骨組みの内部にバスユニットを組み込み、かつ、このバスユニットの上方を開口としておき、そして、建物ユニットの外面に外壁材を建物ユニット内部から締め付け作業されるボルトで取り付け、この後、その開口部分に天井パネルを落とし込んで天井を形成することを特徴とする。
【００１２】
【作用】
このような本発明においては、バスユニットの上方の天井を落とし込み式の天井パネルで形成するため、外壁材を建物ユニットに取り付ける時点でその天井部分を開口部にしておくことにより、この開口部を利用して従来と同様に外壁材を建物ユニット内部から取り付け可能になるうえ、外壁材を取り付けた後に天井パネルを落とし込むことにより、バスユニットの上方にも天井を形成可能となる。
【００１３】
また、天井に互いに平行配設された複数の天井小梁を設け、これらの天井小梁の下端面にこれら天井小梁の幅寸法よりも大きい幅寸法の係止部材を取り付け、天井パネルを互いに隣接する天井小梁間に配設して係止部に係止させる場合には、天井小梁を設けることで天井周りの強度が大きくなるうえ、天井小梁間に配設される大きさの天井パネルを複数落とし込むことにより天井を形成することで、一つの天井パネルで開口部の全域を覆って天井を形成するよりも、この天井パネルを小さくても大きい剛性を有するものとすることが可能になる。
これにより、天井全体の強度が大きくなるとともに、天井パネルの取り扱いも容易になる。
また、天井小梁の下面に係止部材を取り付けてあるので、天井パネルを上方から落とし込むだけで、この天井パネルの係止を容易に行なえるようになる。
【００１４】
ここで、天井パネルの上面と天井小梁の上面とに架け渡されたブラケットを介してこの天井パネルを天井小梁に固定する場合には、このブラケットを上方から各々の上面に落とし込むことにより容易に架け渡すことが可能となり、天井パネルの固定を容易に行なえるようになる。
また、この天井パネルの固定により、天井パネルの重さによる係止部への負荷を軽減可能となり、天井面の耐久性も向上する。
【００１５】
以上において、天井パネルにおける建物ユニット内部に臨む部分を防火面材とする場合には、炎が天井裏へ回り込むのを防止するだけでなく、天井面自体が燃えないものとなり、建物の防火性がさらに向上する。
【００１６】
そして、本発明の天井施工方法においては、建物ユニットの外部から作業者が開口部へ手等を差し入れることにより、外壁材を建物ユニット内部から取り付け可能になるうえ、この外壁部材の取り付けの後、天井パネルを落とし込むことにより、バスユニットの上方にも天井を形成可能となることは前述の通りである。
【００１７】
【実施例】
以下、本発明の一実施例を図面に基づいて説明する。
図１は、本実施例に係る天井構造とされたバスユニット付き建物ユニットを示すものである。
建物ユニット１０は、金属軸組み工法による骨組み１１を有ており、この骨組み１１は、四隅に立設された四本の柱１２と、これら四本の柱１２の上端間に架け渡された各二本の長辺上梁１３および短辺上梁１４と、それら四本の柱１２の下端間に架け渡された各二本の長辺下梁１５および短辺下梁１６とを含んで構成されている。
なお、この図においては、四本の柱１２のうちの一本と、二本の短辺下梁１６のうちの一本とが省略されている。
【００１８】
建物ユニット１０の内部には湯船や洗い場等が一体に形成されたバスユニット１７が組み込まれており、バスユニット１７における入口１７Ａの前方には長辺下梁１５の上面間に下梁１６の上面にまで延びた床面材１８が敷設されている。また、建物ユニット１０の長辺上梁１３間には互いに平行配設された複数の天井小梁１９が架け渡されており、床面材１８の上下に対向する天井部分には、一方の短辺上梁１４およびこれら天井小梁１９のうちの天井小梁１９Ａ、１９Ｂの各下端面に当てがわれた天井面材２０が、例えば建物ユニット１０内部からの上向き作業によって張りつけられている。
ここで、床面材１８は、例えばパーチクルボード等であり、天井面材２０は、例えば二枚重ねの石膏ボード等である。
【００１９】
一方、バスユニット１７の上方には天井小梁１９Ｂ、１９Ｃ、１９Ｄ、および他方の天井小梁１４の各間に開口部２１が設けられているとともに、これらの各開口部２１には落とし込み式の天井パネル２２が配設されるようになっている。
つまり、これら天井パネル２２の落とし込みにより、バスユニット１７の上方の天井が形成されるようになっている。
【００２０】
また、建物ユニット１０の外面には、長辺側に沿って外壁材である外壁パネル２３が取り付けられ、短辺側に沿って同様な外壁パネル２４が取り付けられ、これらの外壁パネル２３、２４の間にはコーナー用の外壁パネル２５が取り付けられるようになっている。
ここで、これらの外壁パネル２３、２４、２５の材質は、例えばオートクレーブ養生された軽量気泡コンクリート等である。
【００２１】
図２に示すように、バスユニット１７は、長辺下梁１５間に架け渡された金属根太２５に、この根太２５に対して直交配設された複数のチャンネル材２６を介して載置されており、このバスユニット１７の下面は、床面材１８よりも下方に位置されている。
天井小梁１９Ｃは、長辺上梁１３の内部に固設された断面コ字形のブラケット２７に釘打ち等されて取り付けられている。この天井小梁１９Ｃの下端面には長手方向に連続した係止部材２８が取り付けられている。
【００２２】
外壁パネル２３は、長辺上梁１３の下面および長辺下梁１５の上面に各々ボルト２９、ナット３０で取り付けられたＬ字形のブラケット３１、３２を介して取り付けられている。
具体的には、外壁パネル２３は、上方側および下方側に埋設されたナット３３、３４を有しており、上方側がこのナット３３と建物ユニット１０内部からブラケット３１に挿通されたボルト３５との螺合により取り付けられ、同様に、下方側がナット３４とボルト３６との螺合により取り付けられているものである。そして、外壁パネル２３とブラケット３２との間には別のブラケット３７が介装されており、外壁パネル２３の位置決めを容易に行なえるようになっている。
【００２３】
図３に示すように、外壁パネル２４もまた、上方側がナット３３と建物ユニット１０内部から螺設されるボルト３５とにより取り付けられているものである。
この図３において、短辺上梁１４の上下のフランジ間には、チャンネル材３８がこの短辺梁１４の長手方向に連続して嵌合配設されており、このチャンネル材３８におけるウェブの建物ユニット１０の内部側には、天井小梁１９よりも高さ寸法が大きくされた別の天井小梁３９が、例えば釘打ち等されて取り付けられている。さらに、この天井小梁３９の下端面には係止部材２８とは形状が異なる別の係止部材４０が取り付けられている。
【００２４】
つまり、一方の係止部材２８は、防火材である石膏ボードの第一、第二部材２８Ａ、２８Ｂの二枚重ねにより形成されているとともに、図１における天井面材２０と同じ厚さ寸法とされている。この係止部材２８は、天井小梁１９に当接された第一部材２８Ａの幅寸法が天井小梁１９の幅寸法と略同じとされ、下方側に位置する第二部材２８Ｂの幅寸法が天井小梁１９の幅寸法よりも大きくなっているものであり、この第二部材２８Ｂは、幅方向の両端が天井小梁１９の両側面から水平方向に各々均等に突出して取り付けられている。さらに、第二部材２８Ｂの天井小梁１９から突出した部分が係止部２８Ｃになっている。
【００２５】
そして、他方の係止部材４０は、第一部材４０Ａが天井小梁３９から短辺上梁１４側へ突出してこれら天井小梁３９と短辺上梁１４に架け渡されており、第二部材４０Ｂにおける一方の端部が第一部材４０Ａと同じ長さまで突出し、他方の端部が建物ユニット１０の内部に突出して係止部４０Ｃになっているものである。
なお、第一、第二部材４０Ａ、４０Ｂの材質、厚さ寸法は、係止部材２８の第一、第二部材２８Ａ、２８Ｂと同じである。
【００２６】
さらにこの図３において、天井パネル２２は、互いに平行配設された一対のフレーム材４１と、これらのフレーム材４１に両端が当てがわれて釘打ちされた面材４２とを含んで構成され、面材４２が防火材である石膏ボードの第一、第二面材４２Ａ、４２Ｂの二枚重ねで形成されている。
【００２７】
この面材４２は、第一面材４２Ａがフレーム材４１に取り付けられているとともに、第一面材４２Ａの幅寸法が互いに対向する天井小梁１９Ｃ、１９Ｄ間の寸法、あるいはまた、天井小梁１９Ｄ、３９間の寸法と略同じとされ、第二面材４２Ｂの幅寸法が互いに対向する係止部材２８の係止部２８Ｃ間の寸法、あるいはまた、係止部材４０の係止部４０Ｃとこれに対向配設された係止部材２８の係止部２８Ｃとの間の寸法と略同じになっているものである。そして、第一面材４２Ａと第二面材４２Ｂとの寸法差により、この面材４２の両端縁には当接部４２Ｃが形成されている。
なお、第一、第二面材４２Ａ、４２Ｂの厚さ寸法は、各係止部材２８、４０の第一部材２８Ａ、４０Ａ、第二部材２８Ｂ、４０Ｂと同じになっている。
【００２８】
つまり、この天井パネル２２は、互いに隣接する天井小梁１９間、あるいはまた、天井小梁３９、１９Ｄ間に上方から落とし込まれることにより、当接部４２Ｃが係止部２８Ｃ、４０Ｃに当接して係止部材２８、４０に係止されるようになっている。
【００２９】
図４は、天井パネル２２が天井小梁１９Ｃ、１９Ｄ間に落とし込まれた状態を示すものであり、この天井パネル２２におけるフレーム材４１の上面４１′と天井小梁１９の上面１９′とには、略Ｚ形の形状とされたブラケット４３が架け渡されており、天井パネル２２がこれらのブラケット４３を介して天井小梁１９に固定されている。
【００３０】
このような本実施例においては、先ず、バスユニット１７が組み込まれ、かつ、このバスユニット１７の上方が開口部２１となっている建物ユニット１０を製造し、次いで、この建物ユニット１０の外面に外壁パネル２３〜２５を、建物ユニット１０内部から締め付け作業されるボルト３５、３６で取り付ける。
この際、作業者４４（図２、３参照）は、建物ユニット１０の外部から開口部２１に手を差し入れてボルト３５の締め付け作業を行なうとともに、図２で示すように、長辺下梁１５とバスユニット１７の間から手を差し入れることにより、ボルト３６の締め付け作業を行なう。
この後、天井パネル２２を開口部２１に落とし込んでバスユニット上方の天井を形成する。
【００３１】
このような本実施例によれば以下のような効果がある。
すなわち、バスユニット１７の上方の天井が、落とし込み式の天井パネル２２で形成されているため、この建物ユニット１０に外壁パネル２３〜２５を取り付ける時点でその天井部分を開口部２１にしておくことにより、この開口部２１を利用して従来と同様に外壁パネル２３〜２５を建物ユニット１０の内部から取り付けることができ、この開口部２１に天井パネル２２を落とし込むことによりバスユニット１７の上方にも天井を形成できる。
【００３２】
また、天井には互いに平行配設された複数の天井小梁１９、３９が設けられているため、天井周りの強度を大きさであるため、天井パネル２２が天井小梁１９Ｂ〜１９Ｄ、３９間に落とし込まれる大きさにしたため、一つで全ての開口部２１を覆うような大きさにするよりも、この天井パネル２２を小さくても大きい剛性を有するものとすることができる。
これにより、天井全体の強度を大きくすることができるとともに、天井パネル２２を容易に取り扱うことができる。
【００３３】
そして、天井小梁１９Ｃ〜１９Ｄ、３９の下面には係止部材２８、４０が取り付けられているので、天井パネル２２を上方から落とし込むだけで、この天井パネル２２の係止を容易に行なうことができる。
【００３４】
さらに、天井パネル２２におけるフレーム材４１の上面４１′と天井小梁１９の上面１９′とに架け渡されたブラケット４３を介してこの天井パネル２２が天井小梁１９に固定されているため、このブラケット４３を上方から各々の上面に落とし込むだけで架け渡すことができ、天井パネル２２の固定を容易に行なうことができる。
また、この天井パネル２２の天井小梁１９、３９への固定により天井パネル２２の重さによる係止部２８、４０への負荷が軽減可能されるため、天井面の耐久性を向上させることができる。
【００３５】
そしてさらに、天井パネル２２が防火面材である石膏ボードの面材４２をふくんで形成されているため、炎が天井裏へ回り込むことを防止するだけでなく、天井面自体が燃えないものとなり、建物の防火性をさらに向上させることができる。
【００３６】
なお、本発明は前記実施例に限定されるものではなく、本発明の目的を達成できる他の構成等を含み、以下に示すような変形等も本発明に含まれる。
例えば、前記実施例では、開口部２１が天井小梁１９、３９の長手方向の全域にわたって設けられていたが、この開口部は、外壁パネル２３〜２５を建物ユニット１０内部から取り付け可能な最小の開口面積を有していればよい。
天井パネルや係止部材の大きさ等は、その開口部の大きさに応じて適宜に決められてよい。
【００３８】
【発明の効果】
以上に述べたように本発明によれば、バスユニットの上方の天井が落とし込み式の天井パネルから形成されているため、この天井パネルが落とし込まれる部分の開口を利用することにより、外壁材を建物ユニット内部から取り付けることができ、天井パネルを落とし込むことによりバスユニットの上方にも天井を形成することができるという効果がある。
【００３９】
また、天井に複数の天井小梁を設け、この天井小梁の下端面に係止部を取り付け、天井パネルを落とし込んでこの係止部に係止させる構造にした場合には、これらの天井小梁や天井パネルにより、天井全体の強度を大きくすることができ、また天井パネルを上方から落とし込むだけで天井を容易に形成することができるという効果がある。
【００４０】
そして、天井パネルと天井小梁との互いの上面にブラケットを架け渡すことにより、この天井パネルを天井小梁に固定した場合には、ブラケットを上方からそれらの上面に落とし込むだけで容易に取り付けることができるうえ、天井パネルの固定により係止部への負荷を軽減させて天井面の耐久性を向上させることができるという効果もある。
【００４１】
さらに、天井パネルを防火面材を含んで形成した場合には、炎が天井裏へ回るのを防ぐことに加え、天井面自体が燃えないため、建物の防火性をさらに向上させることができるという効果がある。
【図面の簡単な説明】
【図１】本発明の一実施例に係る天井構造を備えた建物ユニットを示す全体斜視図である。
【図２】前記図１におけるII-II線断面図である。
【図３】前記図１におけるIII-III線断面図である。
【図４】前記実施例の天井パネルが天井小梁間に落とし込まれた状態を示す斜視図である。
【符号の説明】
１０  建物ユニット
１７  バスユニット
１９、３９  天井小梁
２１  開口部
２２  天井パネル
２３〜２５  外壁材である外壁パネル
２８、４０  係止部材
３５、３６  ボルト
４２  防火面材である面材
４３  ブラケット
【図１】
0003696282.tif 000002
【図２】
0003696282.tif 000003
【図３】
0003696282.tif 000004
【図４】
0003696282.tif 000005